(57)【要約】【課題】極めて容易にストローク数を表示することができ、これによって、ショットに対する集中度を増加する効果をもたらすことはもとより、アクセサリ的な美しさを有するゴルフ用ストロークカウンタを提供する。【解決手段】ゴルフ用ストロークカウンタは、サポート部と、サポート部に対して、変移可能に設けられた少なくとも１つの可動体とを具備する。少なくとも１つの可動体は複数個の可動体からなっていてもよい。サポート部を棒状体で構成し、複数個の可動体の各々を、貫通孔を有する可動ブロックから構成し、可動ブロックの貫通孔に棒状体を挿入するように構成してもよい。可動ブロックは、棒状体の長さ方向に移動可能であってもよい。【選択図】　　　図１
2004065765.tif 000002
【特許請求の範囲】
【請求項１】
サポート部と、
前記サポート部に対して変移可能に設けられた少なくとも１つの可動体と
を具備するゴルフ用ストロークカウンタ。
【請求項２】
前記少なくとも１つの可動体は複数個の可動体からなっていることを特徴とする請求項１に記載のカウンタ。
【請求項３】
前記サポート部は、棒状体からなっており、
前記複数個の可動体の各々は、貫通孔を有する可動ブロックからなっており、前記可動ブロックの前記貫通孔に前記棒状体が挿入されている
ことを特徴とする請求項３に記載のカウンタ。
【請求項４】
前記可動ブロックは、前記棒状体の長さ方向に移動可能であることを特徴とする請求項３に記載のカウンタ。
【請求項５】
前記可動ブロックは、前記棒状体の軸線を中心として回転可能であることを特徴とする請求項３に記載のカウンタ。
【請求項６】
前記棒状体は、相互に独立した少なくとも２つの領域を有しており、前記少なくとも２つの領域のうちの１つの領域に、複数の可動ブロックのうちの１部の可動ブロックが配置され、前記少なくとも２つの領域のうちの残りの領域に、複数の可動ブロックのうちの残りの可動ブロックが配置されていることを特徴とする請求項４に記載のカウンタ。
【請求項７】
前記棒状体は、その一端に連結手段を有して、キーホルダ型に構成されていることを特徴とする請求項１乃至６の何れか１つに記載のカウンタ。
【請求項８】
Ｕ字状のバンドを更に具備し、前記バンドの両端に、前記棒状体の両端がそれぞれ連結されて、ブレスレット型に構成されていることを特徴とする請求項１乃至７の何れか１つに記載のカウンタ。
【請求項９】
前記Ｕ字状のバンドは、基準平面に沿って湾曲した円弧状部分と、前記円弧状部分の両端に一体的に連続して設けられた一対の連結部分とから構成されており、前記一対の連結部分のそれぞれの自由端は、前記基準平面に関して相互に反対側の位置に偏倚しており、かくして、前記一対の連結部分のそれぞれの前記自由端に連結された前記棒状体の中心軸線が、前記基準平面に対して交差することを特徴とする請求項８に記載のカウンタ。
【請求項１０】
前記サポート部は、直線状に伸びるスライド凹部を有しており、前記サポート部の前記スライド凹部付近には、目盛りが設けられており、
前記少なくとも１つの可動体は、前記スライド凹部にスライド可能に配置された単一のスライドブロックからなっており、前記可動体は、前記目盛りを指示するためのポインタを備えている
ことを特徴とする請求項１に記載のカウンタ。
【発明の詳細な説明】
【０００１】
【発明の属する技術分野】
本発明は、ゴルフプレーヤが使用するストロークカウンタに関する。
【０００２】
【従来の技術】
一般に、ゴルフプレーにおいて、ショットを行う際には集中力が必要とされ、このような集中力はスコアに大きな影響を与える。ゴルフプレーヤは、それぞれのショットが何打目であるかを記憶しながら、プレーを続行しなければならない。しかしながら、このような記憶行為はショットに対する集中力を阻害する傾向がある。即ち、プレー中のホールにおけるストローク数に気を取られ過ぎると、ショットに対して十分に集中することができず、その結果，ミスショットを生ずる可能性が高くなる。特に、初心者等のハンディキャップが大きいプレーヤにとっては、このような傾向は著しい。
【０００３】
このような実情に鑑み、近年では、プレー中のホールにおけるストローク数を表示するためのストロークカウンタが提案され、実用化されてきている。この種のストロークカウンタは、例えば、ケーシングと、ディスクと、ディスク駆動機構とから構成される。ケーシングは、ゴルフプレーヤのグローブやベルト等に装着可能であり、適宜の位置に表示窓を有する。ディスクは、ケーシング内に回転可能に配置され、ディスクの一方の表面には、連続する数字、例えば、１から１０の数字が印字されている。これらの数字のうちの１つ数字のみが、ケーシングの表示窓から露呈する。ディスク駆動機構は、ボタンを備えており、このボタンの押圧回数に応じて、ディスクを回転させ、押圧回数に応じた数字を上記表示窓から表示させる。
【０００４】
上述した従来のストロークカウンタによれば、極めて容易にストローク数を表示することができ、これによって、ショットに対する集中度を増加する効果が期待される。
【０００５】
【発明が解決しようとする課題】
しかしながら、このような従来のストロークカウンタは、上述した機械的構造に起因して、機械的な組立体としての外観を呈し、このような外観は、ストロークカウンタがアクセサリ的な美しさを有することを阻害する傾向にある。従って、実際問題としてストロークカウンタの使用を希望しているプレーヤであっても、従来のストロークカウンタがアクセサリ品的な美しさを欠如していることに起因して、その購入及び使用を敬遠する場合が多く見られる。
【０００６】
本発明の目的は、極めて容易にストローク数を表示することができ、これによって、ショットに対する集中度を増加する効果をもたらすことはもとより、アクセサリ的な美しさを有するゴルフ用ストロークカウンタを提供することにある。
【０００７】
【課題を解決するための手段】
上述した課題を解決するために、本発明のゴルフ用ストロークカウンタは、サポート部と、サポート部に対して、変移可能に設けられた少なくとも１つの可動体とから構成され、この可動体そのものを、ストローク数を表示することのみならず、アクセサリの一部として機能させ、これにより、ストロークカウンタにアクセサリ的な美しい外観を付与している。
【０００８】
上述した少なくとも１つの可動体は複数個の可動体からなっていてもよい。
【０００９】
上述したサポート部を棒状体で構成し、複数個の可動体の各々を、貫通孔を有する可動ブロックから構成し、可動ブロックの貫通孔に棒状体を挿入するように構成してもよい。
【００１０】
上述した可動ブロックは、棒状体の長さ方向に移動可能であってもよい。
【００１１】
上述した可動ブロックは、棒状体の軸線を中心として回転可能であってもよい。
【００１２】
上述した棒状体は、相互に独立した少なくとも２つの領域を有しており、これら少なくとも２つの領域のうちの１つの領域に、複数の可動ブロックのうちの１部の可動ブロックを配置し、これら少なくとも２つの領域のうちの残りの領域に、複数の可動ブロックのうちの残りの可動ブロックを配置してもよい。
【００１３】
上述した棒状体は、その一端に連結手段を有して、キーホルダ型に構成されていてもよい。
【００１４】
本発明のカウンタは、Ｕ字状のバンドを更に具備し、バンドの両端に、棒状体の両端をそれぞれ連結することによって、ブレスレット型に構成されていてもよい。
【００１５】
上述したＵ字状のバンドを、基準平面に沿って湾曲した円弧状部分と、この円弧状部分の両端に一体的に連続して設けられた一対の連結部分とから構成し、これら一対の連結部分のそれぞれの自由端を、上記基準平面に関して相互に反対側の位置に偏倚させ、かくして、一対の連結部分のそれぞれの自由端に連結された棒状体の中心軸線が、基準平面に対して交差するように構成してもよい。
【００１６】
上述したサポート部に、直線状に伸びるスライド凹部を設け、サポート部のスライド凹部付近に目盛りを設け、上述した少なくとも１つの可動体を、スライド凹部にスライド可能に配置された単一の可動体から構成し、この可動体に、上記目盛りを指示するためのポインタを設けてもよい。
【００１７】
【発明の実施の形態】
以下、本発明の第１実施形態に係るゴルフ用ストロークカウンタを、図１乃至図３を参照しながら詳細に説明する。
【００１８】
図１は、本発明の第１実施形態に係るゴルフ用ストロークカウンタを示す正面図、図２は、一部を断面で示した図１のカウンタの詳細図、図３は、カウンタの使用方法を示す説明図である。図２において、一点鎖線ＣＬはカウンタＥ１の中心軸線を示しており、その左側はカウンタＥ１の正面を、その右側はカウンタＥ１の断面をそれぞれ示す。
【００１９】
図１及び図２から最も良く理解されるように、ゴルフ用ストロークカウンタＥ１は、サポート部Ｓ１と、このサポート部Ｓ１に対して変移可能に設けられた複数個の可動体Ｍ１とを具備している。
【００２０】
即ち、本発明の第１実施形態に係るカウンタＥ１は、サポート部Ｓ１としての棒状体１と、この棒状体１に固定された複数個の固定ブロック２，３，４及び５と、この棒状体１にその長さ方向に移動可能に設けられた可動体Ｍ１としての可動ブロック６，７，８，９及び１０と、棒状体１の一端に設けられた連結手段としての連結リング１１とから、キーホルダ型に構成されている。
【００２１】
棒状体１は、皮革製の編み紐からなり、図２から最も良く理解されるように、その長さ方向に亘って実質的に均一の外径を有する円筒形に形成されている。棒状体１を形成するための他の材料としては、例えば、合成樹脂、合成ゴム、金属等が使用される。
【００２２】
上述したように、本発明の第１実施形態に係るカウンタＥ１はキーホルダ型に構成されることに鑑み、棒状体１は、弾性変形可能な特性を有していることが望ましい。また、棒状体１の全長が、例えば、プレーヤの手のひらに収まる程度に短い場合には、棒状体１を弾性変形不可能な金属から形成してもよい。即ち、カウンタＥ１をプレーヤのポケット等に収納することを考慮して、棒状体１の全長が比較的短い場合には、その材料の性質が収納特性に影響を与えることは殆どない。従って、棒状体１の全長が比較的短い場合には、棒状体１を剛性を有する硬質性材料から形成しても、これにより支障を来たす虞は殆どない。
【００２３】
固定ブロック２，３，４及び５はそれぞれ、合成樹脂から円柱状に形成されており、中心軸線に沿って貫通孔２ａ，３ａ，４ａ及び５ａを有している。固定ブロック２，３，４及び５を形成するための他の材料としては、例えば、金属、合成ゴム、ガラス、セラミックス等が使用される。上述した棒状体１は、固定ブロック２，３，４及び５の貫通孔２ａ，３ａ，４ａ及び５ａにそれぞれ通されている。
【００２４】
図２に示すように、固定ブロック２は、棒状体１の上端に固定されており、固定ブロック３は、上記固定ブロック２の下方に、連結リング１１のための僅かな間隔をあけて棒状体１に固定されており、固定ブロック４は、上記固定ブロック３の下方に、この固定ブロック３との間に第１領域１ａを形成するように棒状体１に固定されており、固定ブロック５は、上記固定ブロック４の下方に、この固定ブロック４との間に第２領域１ｂを形成するように棒状体１の下端に固定されている。これら、固定ブロック２，３，４及び５を棒状体１に固定する手段として、接着手段が採用されているが、その他、カシメや、固定ピン等による固定方法を採用してもよい。
【００２５】
可動ブロック６，７，８，９及び１０はそれぞれ、合成樹脂から、平面が楕円の球状に形成されており、中心軸線に沿って貫通孔６ａ，７ａ，８ａ，９ａ及び１０ａを有している。可動ブロック６，７，８，９及び１０を形成するための他の材料としては、例えば、金属、合成ゴム、ガラス、セラミックス等が使用される。
【００２６】
可動ブロック６は、その貫通孔６ａ内に棒状体１を挿入するようにして、上述した第１領域１ａに移動可能に配置されている。ここで、第１領域１ａの長さは、可動ブロック６の軸線方向の厚さよりも大きい。即ち、可動ブロック６は、第１領域１ａ内で一方から他方に移動して、可動ブロック６の上方又は下方の側に棒状体１の一部が露呈し、これによって、可動ブロック６が上方又は下方の何れに移動したかが認識可能である。
【００２７】
可動ブロック７，８，９及び１０は、その貫通孔７ａ，８ａ，９ａ及び１０ａ内に棒状体１を挿入するようにして、上述した第２領域１ｂに移動可能に配置されている。第２領域１ｂの長さは、可動ブロック７，８，９及び１０の軸線方向の合計厚さよりも大きい。例えば、図２において、可動ブロック７，８，９及び１０のすべてが下方に移動している状態において、可動ブロック７の上方の側には、棒状体１の一部が露呈している。この状態で、可動ブロック７が上方に移動した場合には、可動ブロック７の下方の側に棒状体１の一部が露呈し、これによって、可動ブロック７が上方に移動したことが認識可能である。
【００２８】
上述したように皮革製の編み紐から形成された棒状体１は、その直径方向に僅かに変形可能である。このような棒状体１を可動ブロック６、７，８，９及び１０の貫通孔６ａ，７ａ，８ａ，９ａ及び１０ａに強制的に挿入すれば、可動ブロック６、７，８，９及び１０は、これに加えられる外力によって移動可能であり、一方、この外力を解除することによって、その移動位置に保持される。
【００２９】
連結リング１１は、固定ブロック２と固定ブロック３との間の僅かな間隔において、上記棒状体１をその直径方向に貫通している。連結リング１１をスプリットリングから構成し、上述したように、棒状体１を皮革製の編み紐から構成すれば、スプリットリングの開放端を編み紐内に挿入して、容易に取り付けることができる。この場合、図２における最上部に位置した固定ブロック２は、棒状体１の上端を固定し、編み紐の解れを防止すると同時に、固定ブロック３と協働して、連結リング１１を確実に保持する。
【００３０】
上述した連結リング１１は、カウンタＥ１をキーホルダとして機能させるためのもので、例えば、この連結リング１１には、グリーンフォークが連結される。
【００３１】
勿論、上述した説明においては、棒状体１、固定ブロック２，３，４及び５、可動ブロック６，７，８，９及び１０、並びに、連結リング１１の順に説明したが、実際のカウンタＥ１を製造する場合には、固定ブロック２、連結リング１１、固定ブロック３、可動ブロック６、固定ブロック４、４つの可動ブロック７乃至１０、及び、固定ブロック５の順序で棒状体１に装着される。
【００３２】
次に、本発明の第１実施形態に係るゴルフ用ストロークカウンタＥ１の使用方法を、図３（ａ）乃至図３（ｆ）を参照しながら説明する。
【００３３】
先ず、各ホールのプレーに先立って、図３（ａ）に示すように、第１領域１ａにおいて、可動ブロック６を最上位の位置に移動させる一方、第２領域１ｂにおいて、可動ブロック７，８，９及び１０をそれぞれ最下位の位置に移動させておく。
【００３４】
このような状態で、プレーヤは、第１打を打ち終えた後に、第２領域１ｂにおいて、可動ブロック７のみを最上位の位置に移動させる（図３（ｂ）参照）。即ち、第１領域１ａにおいて、可動ブロック６が最上位の位置に置かれ、そして、第２領域１ｂにおいて、１つの可動ブロック７のみが最上位の位置に置かれていることは、プレーヤが第１打を打ち終えたことを意味する。
【００３５】
プレーヤは、第２打を打ち終えた後に、第２領域１ｂにおいて、可動ブロック８も更に可動ブロック７と共に最上位の位置に移動させる。即ち、第１領域１ａにおいて、可動ブロック６が最上位の位置に置かれ、そして第２領域１ｂにおいて、２つの可動ブロック７及び８が最上位の位置に置かれていることは、プレーヤが第２打を打ち終えたことを意味する。
【００３６】
同様に、プレーヤは、第３打を打ち終えた後に、第２領域１ｂにおいて、可動ブロック９も更に可動ブロック７及び８と共に最上位の位置に移動させる（図３（ｃ）参照）。即ち、第１領域１ａにおいて、可動ブロック６が最上位の位置に置かれ、そして、第２領域１ｂにおいて、３つの可動ブロック７乃至９が最上位の位置に置かれていることは、プレーヤが第３打を打ち終えたことを意味する。
【００３７】
同様に、プレーヤは、第４打を打ち終えた後に、第２領域１ｂにおいて、可動ブロック１０も更に可動ブロック７乃至９と共に最上位の位置に移動させる。即ち、第１領域１ａにおいて、可動ブロック６が最上位の位置に置かれ、そして第２領域１ｂにおいて、４つの可動ブロック７乃至１０が最上位の位置に置かれていることは、プレーヤが第４打を打ち終えたことを意味する。
【００３８】
プレーヤは、第５打を打ち終えた後に、第１領域１ａにおいて、可動ブロック６を最下位の位置に移動させる一方、第２領域１ｂにおいて、４つの可動ブロック７乃至１０のすべてを最下位の位置に移動させる（図３（ｄ）参照）。即ち、第１領域１ａにおいて、可動ブロック６が最下位の位置に置かれ、そして第２領域１ｂにおいて、４つの可動ブロック７乃至１０が最下位の位置に置かれていることは、プレーヤが第５打を打ち終えたことを意味する。
【００３９】
同様に、プレーヤは、第６打を打ち終えた後に、第２領域１ｂにおいて、可動ブロック７を再び最上位の位置に移動させる。即ち、第１領域１ａにおいて、可動ブロック６が最下位の位置に置かれ、そして第２領域１ｂにおいて、１つの可動ブロック７が最上位の位置に置かれていることは、プレーヤが第６打を打ち終えたことを意味する。
【００４０】
同様に、プレーヤは、第７打を打ち終えた後に、第２領域１ｂにおいて、可動ブロック７及び８を再び最上位の位置に移動させる（図３（ｅ）参照）。即ち、第１領域１ａにおいて、可動ブロック６が最下位の位置に置かれ、そして第２領域１ｂにおいて、２つの可動ブロック７及び８が最上位の位置に置かれていることは、プレーヤが第７打を打ち終えたことを意味する。
【００４１】
同様に、プレーヤは、第８打を打ち終えた後に、第２領域１ｂにおいて、可動ブロック７乃至９を再び最上位の位置に移動させる。即ち、第１領域１ａにおいて、可動ブロック６が最下位の位置に置かれ、そして第２領域１ｂにおいて、３つの可動ブロック７乃至９が最上位の位置に置かれていることは、プレーヤが第８打を打ち終えたことを意味する。
【００４２】
同様に、プレーヤは、第９打を打ち終えた後に、第２領域１ｂにおいて、可動ブロック７乃至１０を再び最上位の位置に移動させる（図３（ｆ）参照）。即ち、第１領域１ａにおいて、可動ブロック６が最下位の位置に置かれ、そして第２領域１ｂにおいて、４つの可動ブロック７乃至１０が最上位の位置に置かれていることは、プレーヤが第９打を打ち終えたことを意味する。
【００４３】
プレーヤが更に、第１０打を打ち終えた場合には、第１領域１ａにおいて、可動ブロック６を最上位の位置に移動させる一方、第２領域１ｂにおいて、４つ可動ブロック７乃至１０のすべてを最下位の位置に移動させる。即ち、図３（ａ）に示す状態に可動ブロック６乃至１０を戻す。この状態は、ストローク開始前の状態又は第１０打を打ち終えたことを意味する。
【００４４】
更に、プレーヤが第１１打目以降の更なるストロークを行った場合には、第１打乃至第９打のための上述した操作と同一の操作をすればよい。この場合、カウンタＥ１は、例えば、第２打の記録状態と、第１２打の記録状態とは同一になるが、プレーヤ自身であれば、自らが第２打を打ち終えた状態であるか、第１２打を打ち終えた状態であるかは容易に判断することはできる。従って、実際の打数についてこれら両者において混同を生ずることは実質的にない。
【００４５】
上述した第１実施形態において、ストローク数をカウントする際の開始基準状態を、図３（ａ）に示すように、第１領域１ａにおいて、可動ブロック６を最上位の位置に移動させる一方、第２領域１ｂにおいて、４つ可動ブロック７乃至１０のすべてを最下位の位置に移動させた状態を設定したが、これに限定されるものではなく、例えば、上述とは逆に、第１領域１ａにおいて、可動ブロック６を最下位の位置に移動させる一方、第２領域１ｂにおいて、４つ可動ブロック７乃至１０のすべてを最上位の位置に移動させた状態を設定してもよい。
【００４６】
上述した第１の実施形態に係るカウンタによれば、可動ブロック６乃至１０そのものを、ストローク数を表示することのみならず、アクセサリの一部として機能させているため、これにより、ストロークカウンタにアクセサリ的な美しい外観を付与することができる。
【００４７】
次に、本発明の第２実施形態に係るゴルフ用ストロークカウンタを、図４乃至図７を参照しながら詳細に説明する。
【００４８】
図４は、本発明の第２実施形態に係るゴルフ用ストロークカウンタを示す部分斜視図、図５は、図４に示したカウンタの正面図、図６は、図４に示したカウンタの要部を断面で示した詳細図、図７は、カウンタの使用方法を示す説明図である。図６において、一点鎖線ＣＬはカウンタＥ２の中心軸線を示しており、その左側はカウンタＥ２の正面を、その右側はカウンタＥ２の断面をそれぞれ示す。
【００４９】
図４乃至図６から最も良く理解されるように、ゴルフ用ストロークカウンタＥ２は、サポート部Ｓ２と、このサポート部Ｓ２に対して変移可能に設けられた複数個の可動体Ｍ２と、Ｕ字状のバンド２１とを具備している。
【００５０】
即ち、本発明の第２実施形態に係るカウンタＥ２は、サポート部Ｓ２としての棒状体１２（図６参照）と、この棒状体１２に固定された複数個の固定ブロック１３，１４及び１５と、この棒状体１２にその軸線を中心として回転可能に設けられた可動体Ｍ２としての可動ブロック１６，１７，１８，１９及び２０と、棒状体１２の両端に、上記固定ブロック１３及び１５を介して連結されたバンド２１とから、ブレスレット型に構成されている。
【００５１】
棒状体１２は、合成樹脂からなり、図６から最も良く理解されるように、その長さ方向に亘って実質的に均一の外径を有する円筒形に形成されている。棒状体１を形成するための他の材料としては、例えば、合成ゴム、金属、木材等が使用される。
【００５２】
上述したように、本発明の第２実施形態に係るカウンタＥ２はブレスレット型に構成されることに鑑み、棒状体１２は、大きく弾性変形しない特性を有していることが望ましい。
【００５３】
固定ブロック１３，１４及び１５はそれぞれ、合成樹脂から円柱状に形成されており、中心軸線に沿って貫通孔１３ａ，１４ａ及び１５ａを有している。固定ブロック１３，１４及び１５を形成するための他の材料としては、例えば、金属、合成ゴム、ガラス、セラミックス等が使用される。上述した棒状体１２は、固定ブロック１３，１４及び１５の貫通孔１３ａ，１４ａ及び１５ａにそれぞれ通されている。
【００５４】
図６に示すように、固定ブロック１３は、棒状体１２の一端に固定されており、固定ブロック１４は、上記固定ブロック３の下方に、この固定ブロック３との間に第１領域１２ａを形成するように棒状体１２に固定されており、固定ブロック１５は、上記固定ブロック１４の下方に、この固定ブロック１４との間に第２領域１２ｂを形成するように棒状体１２の下端に固定されている。これら、固定ブロック１３，１４及び１５を棒状体１２に固定する手段として、接着手段が採用されているが、その他、カシメや、固定ピン等による固定方法を採用してもよい。
【００５５】
可動ブロック１６，１７，１８，１９及び２０はそれぞれ、合成樹脂から、四角柱状に形成されており、中心軸線に沿って貫通孔１６ａ，１７ａ，１８ａ，１９ａ及び２０ａを有している。可動ブロック１６，１７，１８，１９及び２０を形成するための他の材料としては、例えば、金属、合成ゴム、ガラス、セラミックス等が使用される。
【００５６】
可動ブロック１６，１７，１８，１９及び２０は、以下に詳述するように、棒状体１２にその軸線を中心として回転可能に設けられているが、その回転位置を確認することができるように、可動ブロック１６，１７，１８，１９及び２０のそれぞれの１つの面、即ち、貫通孔１６ａ，１７ａ，１８ａ，１９ａ及び２０ａと平行に面するそれぞれの１つの面に、星形のマーク１６ｂ，１７ｂ，１８ｂ，１９ｂ及び２０ｂがそれぞれ設けられている（図４及び６参照）。勿論、このマークは星形に限らす、如何なるマークでもよい。
【００５７】
可動ブロック１６は、その貫通孔１６ａ内に棒状体１２を挿入するようにして、上述した第１領域１２ａに、棒状体１２の軸線を中心に回転可能に配置されている。可動ブロック１６は、この第１領域１２ａ内において、固定ブロック１３及び１４間に挟まれ、その結果、可動ブロック１６が、棒状体１２の中心軸線ＣＬに沿って移動することは実質的にない。
【００５８】
可動ブロック１７，１８，１９及び２０は、その貫通孔１７ａ，１８ａ，１９ａ及び２０ａ内に棒状体１２を挿入するようにして、上述した第２領域１２ｂに、棒状体１２の軸線を中心に回転可能に配置されている。可動ブロック１７，１８，１９及び２０は、この第２領域１２ｂ内において、固定ブロック１４及び１５間に連なった状態で挟まれ、その結果、可動ブロック１７，１８，１９及び２０が、棒状体１２の中心軸線ＣＬに沿って移動することは実質的にない。
【００５９】
棒状体１２の外径、並びに、可動ブロック１６，１７，１８，１９及び２０の貫通孔１６ａ，１７ａ，１８ａ，１９ａ及び２０ａの内径との関係は、棒状体１２がこれら貫通孔１６ａ，１７ａ，１８ａ，１９ａ及び２０ａのそれぞれに密着状態で嵌合されるように、それぞれ決定される。
【００６０】
従って、可動ブロック１６，１７，１８，１９及び２０は、それぞれ、これらに加えられる外力によって、棒状体１２の軸線を中心に回転可能であり、一方、この外力を解除することによって、その回転位置に保持される。
【００６１】
勿論、上述した説明においては、棒状体１２、固定ブロック１３，１４及び１５、並びに、可動ブロック１６，１７，１８，１９及び２０の順に説明したが、実際のカウンタＥ２を製造する場合には、固定ブロック１３、可動ブロック１６、固定ブロック１４、４つの可動ブロック１７乃至２０、及び、固定ブロック１５の順序で棒状体１２に装着される。
【００６２】
Ｕ字状のバンド２１は、図５から明らかなように、基準平面Ｐに沿って湾曲した円弧状部分２１ａと、この円弧状部分２１ａの両端に一体的に連続して設けられた一対の連結部分２１ｂ及び２１ｃとから構成されている。一対の連結部分２１ｂ及び２１ｃのそれぞれの自由端は、図５に示すように、基準平面Ｐに関して相互に反対側の位置に偏倚しており、この連結部分２１ｂが上述した固定ブロック１３の側面に固定され、そして、連結部分２１ｃが上述した固定ブロック１５の側面に固定されている。
【００６３】
次に、本発明の第２実施形態に係るゴルフ用ストロークカウンタＥ２の使用方法を、図７（ａ）乃至図７（ｆ）を参照しながら説明する。
【００６４】
先ず、各ホールのプレーに先立って、図７（ａ）に示すように、第１領域１２ａにおいて、可動ブロック１６を回転させて、カウンタＥ２の正面の側に、マーク１６ｂ以外の面、即ち、マークを付していないブランク面を露呈させる。同様に、第２領域１２ｂにおいて、可動ブロック１７乃至２０を回転させて、カウンタＥ２の正面の側に、マーク１７ｂ乃至２０ｂ以外の面、即ち、マークを付していないブランク面をそれぞれ露呈させる。このような状態で、プレーヤはカウンタＥ２を任意の手の手首に装着する。勿論、装着後に、上述した可動ブロック１６乃至２０の回転によるセッティング操作を行ってもよい。
【００６５】
このような状態で、プレーヤは、第１打を打ち終えた後に、第２領域１２ｂにおいて、可動ブロック１７のみを回転させて、マーク１７ｂを露呈させる（図７（ｂ）参照）。即ち、第１領域１２ａにおいて、可動ブロック１６がブランク面を露呈し、そして、第２領域１２ｂにおいて、１つの可動ブロック１７のみがマーク１７ｂを露呈していることは、プレーヤが第１打を打ち終えたことを意味する。
【００６６】
プレーヤは、第２打を打ち終えた後に、第２領域１２ｂにおいて、可動ブロック１８も更に回転させて、１８ｂを露呈させる。即ち、第１領域１２ａにおいて、可動ブロック１６がブランク面を露呈し、そして、第２領域１２ｂにおいて、２つの可動ブロック１７及び１８がそれぞれのマーク１７ｂ及び１８ｂを露呈していることは、プレーヤが第２打を打ち終えたことを意味する。
【００６７】
同様に、プレーヤは、第３打を打ち終えた後に、第２領域１２ｂにおいて、可動ブロック１９も更に回転させて、マーク１９ｂを露呈させる（図７（ｃ）参照）。即ち、第１領域１２ａにおいて、可動ブロック１６がブランク面を露呈し、そして、第２領域１２ｂにおいて、３つの可動ブロック７乃至９がそれぞれのマーク１７ｂ乃至１９ｂを露呈していることは、プレーヤが第３打を打ち終えたことを意味する。
【００６８】
同様に、プレーヤは、第４打を打ち終えた後に、第２領域１２ｂにおいて、可動ブロック１０も更に回転させて、マーク２０を露呈させる。即ち、第１領域１２ａにおいて、可動ブロック１６がブランク面を露呈し、そして、第２領域１２ｂにおいて、４つの可動ブロック１７乃至２０がそれぞれのマーク１７ｂ乃至２０を露呈していることは、プレーヤが第４打を打ち終えたことを意味する。
【００６９】
プレーヤは、第５打を打ち終えた後に、第１領域１２ａにおいて、可動ブロック１６を回転させて、マーク１６ｂを露呈させる一方、第２領域１２ｂにおいて、可動ブロック１７乃至２０を回転させてそれぞれブランク面を露呈させる（図７（ｄ）参照）。即ち、第１領域１２ａにおいて、可動ブロック１６がマーク１６ｂを露呈し、そして第２領域１２ｂにおいて、４つの可動ブロック１７乃至２０がブランク面を露呈していることは、プレーヤが第５打を打ち終えたことを意味する。
【００７０】
同様に、プレーヤは、第６打を打ち終えた後に、第２領域１２ｂにおいて、可動ブロック１７を再び回転させて、マーク１７ｂを露呈させる。即ち、第１領域１２ａにおいて、可動ブロック１６がマーク１６ｂを露呈し、そして、第２領域１２ｂにおいて、１つの可動ブロック１７がマーク１７ｂを露呈していることは、プレーヤが第６打を打ち終えたことを意味する。
【００７１】
同様に、プレーヤは、第７打を打ち終えた後に、第２領域１２ｂにおいて、可動ブロック１７及び１８を再び回転させて、マーク１７ｂ及び１８ｂをそれぞれ露呈させる（図３（ｅ）参照）。即ち、第１領域１２ａにおいて、可動ブロック１６がマーク１６ｂを露呈し、そして、第２領域１２ｂにおいて、２つの可動ブロック１７及び１８がマーク１７ｂ及び１８ｂをそれぞれ露呈していることは、プレーヤが第７打を打ち終えたことを意味する。
【００７２】
同様に、プレーヤは、第８打を打ち終えた後に、第２領域１２ｂにおいて、可動ブロック１７乃至１９を再び回転させて、マーク１７ｂ乃至１９ｂを露呈させる。即ち、第１領域１２ａにおいて、可動ブロック１６がマーク１６ｂを露呈し、そして、第２領域１２ｂにおいて、３つの可動ブロック１７乃至１９がマーク１７ｂ乃至１９ｂをそれぞれ露呈していることは、プレーヤが第８打を打ち終えたことを意味する。
【００７３】
同様に、プレーヤは、第９打を打ち終えた後に、第２領域１２ｂにおいて、可動ブロック１７乃至２０を再び回転させて、マーク１７ｂ乃至２０ｂを露呈させる（図７（ｆ）参照）。即ち、第１領域１２ａにおいて、可動ブロック１６がマーク１６ｂを露呈し、そして、第２領域１２ｂにおいて、４つの可動ブロック１７乃至２０がマーク１７ｂ乃至２０ｂを露呈していることは、プレーヤが第９打を打ち終えたことを意味する。
【００７４】
プレーヤが更に、第１０打を打ち終えた場合には、第１領域１２ａにおいて、可動ブロック６を更に回転させて、ブランク面を露呈させる一方、第２領域１２ｂにおいて、４つ可動ブロック１７乃至２０のすべてを再び回転させて、ブランク面をそれぞれ露呈させる。即ち、図７（ａ）に示す状態に可動ブロック１６乃至２０を戻す。この状態は、ストローク開始前の状態又は第１０打を打ち終えたことを意味する。
【００７５】
更に、プレーヤが第１１打目以降の更なるストロークを行った場合には、第１打乃至第９打のための上述した操作と同一の操作をすればよい。この場合、カウンタＥ２は、例えば、第２打の記録状態と、第１２打の記録状態とは同一になるが、プレーヤ自身であれば、自らが第２打を打ち終えた状態であるか、第１２打を打ち終えた状態であるかは容易に判断することはできる。従って、実際の打数についてこれら両者において混同を生ずることは実質的にない。
【００７６】
上述した第２の実施形態に係るカウンタによれば、可動ブロック１６乃至２０そのものを、ストローク数を表示することのみならず、アクセサリの一部として機能させているため、これにより、ストロークカウンタにアクセサリ的な美しい外観を付与することができる。
【００７７】
また、上述した第２実施形態に係るカウンタにおいては、Ｕ字状のバンド２１は、上述したように、基準平面Ｐに沿って湾曲した円弧状部分２１ａと、円弧状部分２１ａの両端に一体的に連続して設けられた一対の連結部分２１ｂ、２１ｃとから構成されており、一対の連結部分２１ｂ、２１ｃのそれぞれの自由端は、基準平面Ｐに関して相互に反対側の位置に偏倚しており、これにより、一対の連結部分２１ｂ、２１ｃのそれぞれの自由端に連結された棒状体１２の中心軸線は、基準平面Ｐに対して交差している。このような構造により、ブレスレット型のストロークカウンタとして斬新なデザインがもたらされると共に、棒状体１２の中心軸線が、カウンタを装着した腕と平行に近い状態に置かれ、可動ブロック１６乃至２０の回転操作が極めて容易になる。
【００７８】
上述した第２実施形態においては、可動ブロック１６，１７，１８，１９及び２０のそれぞれの１つの面、即ち、貫通孔１６ａ，１７ａ，１８ａ，１９ａ及び２０ａと平行に面するそれぞれの１つの面に、星形のマーク１６ｂ，１７ｂ，１８ｂ，１９ｂ及び２０ｂがそれぞれ設けられているが、可動ブロック１６，１７，１８，１９及び２０の各々において、貫通孔１６ａ，１７ａ，１８ａ，１９ａ及び２０ａと平行に面する４つの面のそれぞれに、異なるアルファベットや異なる数字を設けたり、又は、それぞれ数を示し又は連像させる異なる記号等を設けても良い。更に、可動ブロックの数は、上述した５つに限られるものではなく、例えば、カウンタ全体のデザイン上の問題等に鑑み、３つの可動ブロックのみを用いてもよい。この場合、例えば、３つの可動ブロックの各々において、貫通孔と平行に面する４つの平面のそれぞれに、「０」、「１」、「２」及び「３」の文字を表示する。ここで、最初の可動ブロックは、第１打から第３打までのストロークをカウントするために使用され、第２番目の可動ブロックは、第４打から第６打までのストロークをカウントするために使用される。即ち、最初の可動ブロックの数字と、第２番目の可動ブロックの数字との和によって、ストローク数が表示される。同様に、第３番目の可動ブロックは、第７打から第９打までのストロークをカウントするために使用される。第１０打以降については、上述した第２実施形態におけると同様である。
【００７９】
次に、本発明の第３実施形態に係るゴルフ用ストロークカウンタを、図８乃至図１０を参照しながら詳細に説明する。
【００８０】
図８は、本発明の第３実施形態に係るゴルフ用ストロークカウンタを示す平面図、図９は、図８に示したカウンタの部分拡大正面図、図１０は、カウンタの使用方法を示す説明図である。
【００８１】
図８及び図９から最も良く理解されるように、ゴルフ用ストロークカウンタＥ３は、サポート部Ｓ３と、このサポート部Ｓ３に対して変移可能に設けられた単一の可動体Ｍ３とを具備している。
【００８２】
即ち、本発明の第３実施形態に係るカウンタＥ３は、ブレスレット型に構成されたサポート部Ｓ３と、このサポート部Ｓ３にその長さ方向に沿ってスライド可能に配置された単一の可動体Ｍ３としてのスライドブロック２３とから構成されている。
【００８３】
サポート部Ｓ３は、プレーヤの手首に装着可能なように、金属からＣ字状に形成されており、その中央部における外側部分に直線状に伸びるスライド凹部Ｓ３ａが形成されている。このスライド凹部Ｓ３ａは、図９に示すように、平面において矩形の形状を有している。サポート部Ｓ３を形成するための他の材料としては、例えば、合成樹脂等が使用される。
【００８４】
サポート部Ｓ３の外側表面において、スライド凹部Ｓ３ａの上方の片に沿った部分には、図９に示すように、５つの目盛りが等間隔で設けられており、この目盛りには、左側から順に「０」、「Ｉ」、「ＩＩ」、「ＩＩＩ」及び「ＩＶ」の記号２５がそれぞれ付されている。一方、スライド凹部Ｓ３ａの下方の片に沿った部分にも、５つの目盛りが等間隔で設けられており、この目盛りには、右側から順に「Ｖ」、「ＶＩ」、「ＶＩＩ」、「ＶＩＩ」及び「ＩＸ」の記号２５がそれぞれ付されている。図９から明らかなように、記号「０」、「Ｉ」、「ＩＩ」、「ＩＩＩ」及び「ＩＶ」は、記号「ＩＸ」、「ＶＩＩＩ」、「ＶＩＩ」、「ＶＩ」及び「Ｖ」とそれぞれ向かい合っている。
【００８５】
スライドブロック２３は、サポート部Ｓ３の上述したスライド凹部Ｓ３ａ内、その長さ方向に沿ってスライド可能に配置されている。スライドブロック２３は合成樹脂から矩形状に形成されおり、そのスライド方向と直交する方向に伸びるスリット２３ａを有している。このスリット２３ａには、ポインタ２４がスライド可能に配置されている。
【００８６】
上述したスライドブロック２３は、上述した記号「０」、「Ｉ」、「ＩＩ」、「ＩＩＩ」若しくは「ＩＶ」、又は、記号「ＩＸ」、「ＶＩＩＩ」、「ＶＩＩ」、「ＶＩ」若しくは「Ｖ」の対応する位置に、スライド凹部Ｓ３ａの長さ方向に沿ってスライド可能であるが、これらの対応する位置にスライドブロック２３を保持するための第１保持機構を備えることが望ましい。このような第１保持機構は、例えば、スライド凹部Ｓ３ａ内において、記号「０」、「Ｉ」、「ＩＩ」、「ＩＩＩ」及び「ＩＶ」にそれぞれ対応する位置に、ノッチ（図示せず）をそれぞれ設ける一方、スライドブロック２３に、これらのノッチの何れか１つに弾発的に係合可能な板バネを設けることによって実現される。
【００８７】
また、上述したポインタ２４は、スリット２３ａに沿ってスライド可能であるが、そのポインタ２４をスリット２３ａの何れか任意の一方の側に保持するための第２保持機構を備えることが望ましい。このような第２保持機構は、例えば、スリット２３ａ内において、その長さ方向における両側の位置に、ノッチ（図示せず）をそれぞれ設ける一方、ポインタ２４にこれらのノッチの何れか１つに弾発的に係合可能な板バネを設けることによって実現される。
【００８８】
次に、本発明の第３実施形態に係るゴルフ用ストロークカウンタＥ３の使用方法を、図１０（ａ）乃至図１０（ｄ）を参照しながら説明する。
【００８９】
先ず、各ホールのプレーに先立って、図９に示すように、スライドブロック２３を最も左側の位置に移動させ、そして、ポインタ２４を上方の位置に移動させる。このような状態で、プレーヤはカウンタＥ３を任意の手の手首に装着する。勿論、装着後に、上述したスライドブロック２３の移動によるセッティング操作を行ってもよい。
【００９０】
このような状態で、プレーヤは、第１打から第４打を打ち終えるまでの間は、各ストロークを行った後に、スライドブロック２３を１目盛りずつ右側に移動させる。例えば、プレーヤは、第２打を打ち終えた後に、スライドブロック２３を右側に移動させて、ポインタ２４を記号「ＩＩ」に向ける（図１０（ａ）参照）。同様に、プレーヤは、第４打を打ち終えた後に、スライドブロック２３を更に右側に移動させて、ポインタ２４を記号「ＩＶ」に向ける（図１０（ｂ）参照）。
【００９１】
更に、プレーヤは、第５打を打ち終えた後には、スライドブロック２３についてはそのままの状態を維持しながら、ポインタ２４のみを下方にスライドさせて、これを記号「Ｖ」に向ける（図１０（ｃ）参照）。
【００９２】
この後、プレーヤは、第６打から第９打を打ち終えるまでの間は、各ストロークを行った後に、ポインタ２４が下方にスライドされた状態のまま、スライドブロック２３を１目盛りずつ左側に移動させる。例えば、プレーヤは、第７打を打ち終えた後に、スライドブロック２３を左側に移動させて、ポインタ２４を記号「ＶＩＩ」に向ける（図１０（ｄ）参照）。
【００９３】
プレーヤが更に、第１０打を打ち終えた場合には、スライドブロック２３についてはそのままの状態を維持しながら、ポインタ２４のみを上方にスライドさせて、これを記号「０」に向ける。
これにより、カウンタＥ３は、図９に示す状態に戻される。この状態は、ストローク開始前の状態又は第１０打を打ち終えたことを意味する。
【００９４】
更に、プレーヤが第１１打目以降の更なるストロークを行った場合には、第１打乃至第９打のための上述した操作と同一の操作をすればよい。この場合、カウンタＥ３は、例えば、第２打の記録状態と、第１２打の記録状態とは同一になるが、プレーヤ自身であれば、自らが第２打を打ち終えた状態であるか、第１２打を打ち終えた状態であるかは容易に判断することはできる。従って、実際の打数についてこれら両者において混同を生ずることは実質的にない。
【００９５】
上述した第３の実施形態に係るカウンタによれば、スライドブロック２３そのものを、ストローク数を表示することのみならず、アクセサリの一部として機能させているため、これにより、ストロークカウンタにアクセサリ的な美しい外観を付与することができる。
【００９６】
また、サポート部Ｓ３において、記号「０」、「Ｉ」、「ＩＩ」、「ＩＩＩ」及び「ＩＶ」を備えた目盛りは、記号「ＩＸ」、「ＶＩＩＩ」、「ＶＩＩ」、「ＶＩ」及び「Ｖ」を備えた目盛りとそれぞれ向かい合っている。従って、目盛りを一直線上に等間隔で配置した場合に比して、スライド凹部Ｓ３ａの長さを半分にすることができ、コンパクト化が可能である。
【００９７】
勿論、ゴルフ用ストロークカウンタにおいて、このようなコンパクト化が要求されない場合には、記号が付された１０個の目盛りのすべてを、サポート部Ｓ３上において一直線上に配置してもよい。この場合には、ポインタ２４は、その１０個の目盛りの何れか１つを選択的に指示可能であればよく、スライド可能である必要はない。
【００９８】
【発明の効果】
本発明によれば、ゴルフ用ストロークカウンタを、サポート部と、サポート部に対して、変移可能に設けられた少なくとも１つの可動体とから構成し、この可動体そのものを、ストローク数を表示することのみならず、アクセサリの一部として機能させているため、ストロークカウンタにアクセサリ的な美しい外観を付与することができる。
【００９９】
上述した少なくとも１つの可動体は複数個の可動体からなっていてもよい。上述したサポート部を棒状体で構成し、複数個の可動体の各々を、貫通孔を有する可動ブロックから構成し、可動ブロックの貫通孔に棒状体を挿入するように構成してもよい。上述した可動ブロックは、棒状体の長さ方向に移動可能であってもよい。また、上述した可動ブロックは、棒状体の軸線を中心として回転可能であってもよい。上述した棒状体は、相互に独立した少なくとも２つの領域を有しており、これら少なくとも２つの領域のうちの１つの領域に、複数の可動ブロックのうちの１部の可動ブロックを配置し、これら少なくとも２つの領域のうちの残りの領域に、複数の可動ブロックのうちの残りの可動ブロックを配置してもよい。上述した棒状体は、その一端に連結手段を有して、キーホルダ型に構成されていてもよい。本発明のカウンタは、Ｕ字状のバンドを更に具備し、バンドの両端に、棒状体の両端をそれぞれ連結することによって、ブレスレット型に構成されていてもよい。上述したＵ字状のバンドを、基準平面に沿って湾曲した円弧状部分と、この円弧状部分の両端に一体的に連続して設けられた一対の連結部分とから構成し、これら一対の連結部分のそれぞれの自由端を、上記基準平面に関して相互に反対側の位置に偏倚させ、かくして、一対の連結部分のそれぞれの自由端に連結された棒状体の中心軸線が、基準平面に対して交差するように構成してもよい。
【０１００】
上述したサポート部に、直線状に伸びるスライド凹部を設け、サポート部のスライド凹部付近に目盛りを設け、上述した少なくとも１つの可動体を、スライド凹部にスライド可能に配置された単一の可動体から構成し、この可動体に、上記目盛りを指示するためのポインタを設けてもよい。上述した本発明の付加的な特徴により、アクセサリ的な外観にバリエーションを付けることができる。
【図面の簡単な説明】
【図１】本発明の第１実施形態に係るゴルフ用ストロークカウンタを示す正面図
【図２】一部を断面で示した図１のカウンタの詳細図
【図３】図１のカウンタの使用方法を示す説明図
【図４】本発明の第２実施形態に係るゴルフ用ストロークカウンタを示す部分斜視図
【図５】図４に示したカウンタの正面図
【図６】図４に示したカウンタの要部を断面で示した詳細図
【図７】図４のカウンタの使用方法を示す説明図
【図８】本発明の第３実施形態に係るゴルフ用ストロークカウンタを示す平面図
【図９】図８に示したカウンタの部分拡大正面図
【図１０】図８のカウンタの使用方法を示す説明図
【符号の説明】
Ｅ１　第１実施形態に係るカウンタ
Ｅ２　第２実施形態に係るカウンタ
Ｅ３　第３実施形態に係るカウンタ
Ｓ１、Ｓ２、Ｓ３　サポート部材
Ｍ１、Ｍ２、Ｍ３　可動体
１　棒状体（第１実施形態）
１２　棒状体（第２実施形態）
６、７、８、９、１０　可動ブロック（第１実施形態）
６ａ，７ａ，８ａ，９ａ、１０ａ　貫通孔（第１実施形態）
１６、１７、１８、１９、２０　可動ブロック（第２実施形態）
１６ａ、１７ａ、１８ａ、１９ａ、２０ａ　貫通孔（第２実施形態）
１ａ　第１領域（第１実施形態）
１ｂ　第２領域（第１実施形態）
１１　連結手段（第１実施形態）
１２ａ　第１領域（第２実施形態）
１２ｂ　第２領域（第２実施形態）
２１　バンド（第２実施形態）
２１ａ　円弧状部分（第２実施形態）
２１ｂ、２１ｃ　連結部分（第２実施形態）
Ｐ　基準平面
Ｓ３ａ　スライド凹部（第３実施形態）
２５　目盛り（第３実施形態）
２３　スライドブロック（第３実施形態）
２４　ポインタ（第３実施形態）
【図１】
2004065765.tif 000003
【図２】
2004065765.tif 000004
【図３】
2004065765.tif 000005
【図４】
2004065765.tif 000006
【図５】
2004065765.tif 000007
【図６】
2004065765.tif 000008
【図７】
2004065765.tif 000009
【図８】
2004065765.tif 000010
【図９】
2004065765.tif 000011
【図１０】
2004065765.tif 000012